(57)【要約】【課題】多機能操作装置の操作内容を明確に表示して、誤操作の防止を図ることのできる多機能操作装置を提供する。【解決手段】固定側１３に固定される操作装置本体１４、２３から突出するとともに軸回転およびその他の操作動作が可能な操作軸１５、２４を備える操作装置１１、２１と、操作軸１５、２４に固定され操作装置１１、２１を操作するノブ１２、２２とを有している。そして、ノブ１２、２２には操作軸１５、２４に沿った方向に透視可能な透視部１６、２６が設けられ、透視部１６、２６と操作装置本体１４、２３との間でオーディオ機器本体１３に固定される表示板１７、２５が設けられている。従って、表示板１７、２５の表示は固定されていて回転あるいは傾倒せず、ノブ１２、２２の透視部１６、２６を透して見ることができるので、表示が見やすく、誤操作を防止することができる。【選択図】　　　　図６
2004146090.tif 000002
【特許請求の範囲】
【請求項１】
固定側に固定される操作装置本体と、前記操作装置本体から突出するとともに傾倒動作、軸回転動作、並びにその軸方向に沿った往復移動動作が可能な操作軸とを有する操作装置と、
前記操作軸に取り付けられ軸回転操作及び押圧操作により前記操作軸の各動作を可能とするノブとを有する多機能操作装置であって、
前記ノブに設けられて前記操作軸に沿った方向に透視可能な透視部と、前記透視部と前記操作装置本体との間に配置されるとともに前記固定側に固定される表示部を有していることを特徴とする多機能操作装置。
【請求項２】
前記表示部が、点灯表示することを特徴とする請求項１に記載の多機能操作装置。
【請求項３】
前記表示部が、導光可能であるとともに、前記表示部に隣接して発光部が設けられていることを特徴とする請求項１又は２に記載の多機能操作装置。
【請求項４】
前記操作装置を被覆するパネルの一部が、前記表示部であることを特徴とする請求項１乃至３の何れか１に記載の多機能操作装置。
【請求項５】
前記操作装置の操作モードに応じて前記表示部の表示／非表示を選択可能であることを特徴とする請求項１〜５のいずれかに記載した多機能操作装置。
【発明の詳細な説明】
【０００１】
【発明の属する技術分野】
本発明は、多機能操作装置に関する。
【０００２】
【従来の技術】
図１および図２には、従来より知られている多機能操作装置１００の一例が示されている。この多機能操作装置１００では、操作装置本体１０１から突出するとともに軸回転可能な操作軸１０２を備える電子部品等の操作装置１０３と、操作軸１０２に固定されたノブ１０４とを有している。
この多機能操作装置１００では、ノブ１０４の回転により操作装置１０３を軸回転操作するとともに、ノブ１０４を回転軸１０２方向に押すことによっても操作装置１０３を軸方向に沿った往復移動操作するものである。そして、操作の内容等を示すために、ノブ１０４の表面には操作内容を示す文字や図形等が表示されている。
【０００３】
例えば、図２に示すように、多機能操作装置１００をオーディオ機器に使用して、ノブ１０４を回すことにより操作軸１０２を軸回転させてボリュームの調整を行ったり（図２（Ａ）（Ｂ）参照）、ノブ１０４を操作軸１０２の方向に押して操作軸１０２を軸方向に沿って往復移動させることによりＣＤやテープ等のオーディオ媒体をオーディオ機器から取り出したりするものがある。
【０００４】
あるいは、図３および図４に示す多機能操作装置１１０では、操作装置本体１１１から突出するとともに軸回転可能な操作軸１１２を備える操作装置１１３と、操作軸１１２に固定されたノブ１１４とを有している（例えば、特許文献１参照）。
この多機能操作装置１１０では、ノブ１１４の回転により操作装置１１３を軸回転操作するとともに、ノブ１１４の表面の周縁部分を押圧することにより、前後左右（図３において上下および紙面直交方向）に傾かせて操作軸を傾倒させて操作装置１１３を操作するものである。そして、ノブ１１４の表面には操作内容を示す文字や図形等が表示されている。
【０００５】
例えば、図４に示すように、多機能操作装置１１０をオーディオ機器に使用して、ノブ１１４を回すことにより操作軸１１２を軸回転させたり（図４（Ａ）、（Ｂ）参照）、ノブ１１４を介して操作軸１１２を前後左右に任意の方向へ傾ける（図３（Ｂ）参照）。すなわち、ノブ１１４を回すことによりボリュームの調整を行い、ノブ１１４を介して操作軸１１２を傾けて、視聴者の周囲に複数配置されているスピーカーの音量バランスを調整したりする。
【０００６】
【特許文献１】
特開平８−１１５６４１号公報
【０００７】
【発明が解決しようとする課題】
従来技術の場合、ノブ１０４、１１４の表面に文字や図形により機能を示しているため、ノブ１０４、１１４を回転させてしまうと、図２（Ｂ）や図４（Ｂ）等に示すように、文字や図形等が傾いたり逆さになったりして、見にくいのみならず、体裁が悪いという問題が生じる。
このため、図５に示すように、多機能操作装置１００、１１０の機能をノブ１０４、１１４の表面ではなく、多機能操作装置１００、１１０が固定されている固定側１２０に記載することも考えられる。
しかしながら、この場合には、機能の表示がノブ１０４、１１４から離れた場所に表示されることになるため、ノブ１０４、１１４の操作が分かりにくくなるという問題がある。
【０００８】
本発明が解決しようとする課題としては、上述した従来技術において生じる、多機能操作装置の操作内容の表示の仕方という問題が一例として挙げられる。
【０００９】
【課題を解決するための手段】
請求項１に記載した発明は、固定側に固定される操作装置本体と、前記操作装置本体から突出するとともに傾倒動作、軸回転動作、並びにその軸方向に沿った往復移動動作が可能な操作軸とを有する操作装置と、前記操作軸に取り付けられ軸回転操作及び押圧操作により前記操作軸の各動作を可能とするノブとを有する多機能操作装置であって、前記ノブに設けられて前記操作軸に沿った方向に透視可能な透視部と、前記透視部と前記操作装置本体との間に配置されるとともに前記固定側に固定される表示部を有していることを特徴とする。
【００１０】
【発明の実施の形態】
本発明に係わる実施の形態について説明する。本発明における多機能操作装置では、操作装置本体が固定側に固定されており、操作装置本体から操作軸が突出している。この操作軸にはノブが取り付けられている。操作軸は軸心を中心として軸回転可能であり、かつ、その他の操作動作、例えば軸方向に往復移動したり、軸を傾ける傾倒動作等が可能となっている。すなわち、操作軸に取り付けられているノブを回すことにより操作軸を軸回転させて操作装置本体を操作すると同時に、ノブを介して操作軸を押したり傾けたりして操作装置本体の操作を行うようになっている。
【００１１】
ノブには、このノブを透かして見るための透視部が設けられており、この透視部と操作装置本体との間には、操作軸の操作動作を示す表示部が設けられている。この表示部は、操作装置本体が固定されている固定側に取り付けられている。すなわち、操作装置本体に固定するか、あるいは直接固定側に固定されている。表示部は、見やすいように点灯表示するようにする。表示自体を点灯や発光させることもできるし、表示部に照明を当てるようにすることもできる。
なお、表示部は操作装置の操作モードに応じて、必要な場合に表示するように選択可能とする。
【００１２】
従って、ノブにより操作軸を操作して操作装置本体の操作を行う場合に、ノブの透視部から表示部に表示された内容を見ながら、ノブの操作を行うことができる。表示部は固定側に固定されているので、ノブを回して操作軸を軸回転させても回転することなく常に一定の状態で取り付けられている。このため、操作内容を的確に把握して操作することができる。
【００１３】
次に、本発明に係る多機能操作装置の第１実施例について図面に基づいて説明する。
図６に示す多機能操作装置１０は、例えばオーディオ機器に使用される操作装置としてのボリュームスイッチ１１と、このボリュームスイッチ１１を操作するためのノブ１２とを有している。
【００１４】
ボリュームスイッチ１１は、固定側であるオーディオ機器本体１３に固定される操作装置本体１４と、この操作装置本体１４から突出している操作軸１５を有している。操作軸１５にはノブ１２が取り付けられており、軸心を中心として軸回転可能であるとともに、軸方向に沿って往復移動可能となっている。
すなわち、ノブ１２を回して操作軸１５を軸回転させることにより、ボリュームの調整を行うことができ、ノブ１２を軸方向に沿って押すことにより、その他の操作動作としてオーディオ機器からＣＤやテープ等を取り出したり、オーディオ機器の電源のオン・オフ切り替えを行うことができる。
【００１５】
図７に示すように、ノブ１２の一部あるいは全面には、操作軸１５に沿った方向に透視可能な透視部１６が設けられている。
透視部１６としては、例えば、ノブ１２の頂部１２ａを透明あるいは半透明（着色を含む）の部材により構成して、ノブ１２を透かして見えるようにする。あるいは、孔を設けて見えるようにすることもできる。
【００１６】
また、図６（Ａ）に示すように、ノブ１２と操作装置本体１４との間には、表示部としてノブ１２の操作内容を示す表示板１７が設けられている。
この表示板１７は、オーディオ機器本体１３又は操作装置本体１４に固定されており、図６（Ｂ）および（Ｃ）に示すように、ノブ１２を回転等させても表示板１７は回転しない。また、図８に示すように、表示板１７の表面１７ａには、操作内容を示す文字や図形等が表示されている。
【００１７】
ボリュームスイッチ１１を操作する際には、ノブ１２を回してボリュームの調整を行う。そして、聞き終わったら、ノブ１２を軸方向に沿って押してＣＤやテープ等を取り出す。
このとき、ノブ１２の透視部１６を透して表示板１７に表示されている文字や図形が見えるので、表示板１７の表示、例えばノブ１２を回す方向等の表示やノブ１２を軸方向に沿って押すことによりＣＤやテープを取り出すとの表示を見ながらノブ１２の操作を行うことができる。
【００１８】
従って、表示板１７はオーディオ機器本体１３等の固定側に固定されており、ノブ１２を回しても、表示板１７の表示は変化せず一定なので、他の操作動作を示す表示が見やすく、操作の間違いを防止することができる。
【００１９】
次に、本発明に係る多機能操作装置の第２実施例について図面に基づいて説明する。なお、前述した第１実施例に係る多機能操作装置１０と共通する部位には同じ符号を付して、重複する説明は省略することとする。
図９に示す多機能操作装置２０は、例えばオーディオ機器において視聴者の周囲に複数配置されている複数個のスピーカーの音量バランスを調整したり、ノブ１２を回すことによりボリュームの調整を行う電子部品であるジョイスティック２１と、このジョイスティック２１を操作するためのノブ２２を有している。
【００２０】
ジョイスティック２１は、固定側であるオーディオ機器本体１３に固定される操作装置本体２３と、この操作装置本体２３から突出している操作軸２４を有している。操作軸２４にはノブ２２が取り付けられており、軸心を中心として軸回転可能であるとともに、操作軸２４は任意の方向に傾けることができるようになっている。
すなわち、ノブ２２を回して操作軸２４を軸回転させることにより、ボリュームの調整を行うことができ、ノブ２２の表面の周縁部分を押圧することにより、操作軸２４を前後左右方向に傾倒動作させることにより、スピーカーから出る音量のバランスを調整する。
【００２１】
ノブ２２と操作装置本体２３との間には、表示部としてノブ２２の操作内容を示す表示板２５が設けられている。この表示板２５は、オーディオ機器本体１３又はジョイスティック２１の操作装置本体２３に固定されており、ノブ２２を回転させたり操作軸２４を傾倒させても表示板２５は回転あるいは傾倒しない。
また、ノブ２２の一部あるいは全面には、ノブ２２を透して表示板２５を見るために透明な透視部２６が設けられている。
【００２２】
従って、ジョイスティック２１を操作する際に、ノブ２２を回してボリュームの調整を行う。そして、ノブ２２の表面の周縁部分を押圧することにより、操作軸２４を前後左右に傾けることにより、各スピーカーから発せられる音量のバランスを調整する。
このとき、ノブ２２の透視部２６を透して表示板２５に表示されている文字や図形等が見えるので、表示板２５の表示に従って、例えばノブ２２を回すことにより音量の調整を行ったり、ノブ２２を前後左右に移動させて操作軸２４を傾倒させることにより音量バランスの調整を行う。
【００２３】
従って、表示板２５はオーディオ機器本体１３等の固定側に固定されており、ノブ１２を回しても、表示板２５の表示は変化せず一定なので、他の操作動作を示す表示が見やすく、操作の間違いを防止することができる。
【００２４】
次に、本発明に係る多機能操作装置の第３実施例について図面に基づいて説明する。なお、前述した第１および第２実施例と共通する部位には同じ符号を付して重複する説明を省略することにする。
【００２５】
図１０に示すように、この多機能操作装置３０は、図６および図９において前述した第１実施例および第２実施例に係る多機能操作装置１０、２０に適用できるものであり、表示部に特徴を有する。
以下では、一例として第２実施例で示した多機能操作装置２０に適用した場合について説明する。この表示部では、透明部材により表示部分３１を形成し、前述したノブ２２の透視部２６に対向するように設ける。
【００２６】
そして、表示板でもある導光手段３２によりＬＥＤのような発光部３３で発せられた光を表示部分３１に導いて、表示部分３１を点灯させる。あるいは、表示する文字や図形等の表示部分をＬＥＤのような発光体により形成して表示板２５に貼り付け、直接点灯させるようにすることもできる。
なお、表示部分３１は、表示板２５に設けずに、独立して固定側であるオーディオ機器本体１３や電子部品であるジョイスティック２１の操作装置本体２３に取り付けるようにしてもよい。
【００２７】
表示部分３１の点灯は、操作モードに応じて前記表示部の表示／非表示を選択可能である。すなわち、例えば図９に示した多機能操作装置２０において、ノブ２２を押して操作軸２４を軸方向に沿って押し込むことにより操作モードを切り替えることができるようにしておき、操作モードに対応した操作内容のみを表示部分３１に表示するようにする。
例えば、図１１に示すように、ノブ２２を押して操作モードを選択し（ステップＳ１）、前後音量バランス調整モードとなったときには（ステップＳ２）、表示部分３１の前後矢印のみを点灯させて（ステップＳ３）、ノブ２２を軸方向に沿って往復移動させて前後の音量バランスを調整する。
また、ノブ２２を軸方向に沿って往復移動させて左右音量バランス調整モードとなったときには（ステップＳ２）、表示部分３１の左右矢印のみを点灯させ（ステップＳ４）、ノブ２２の表面における左右の周縁部分を押圧することにより、左右に操作軸を傾倒させて左右の音量バランスを調整する。
【００２８】
従って、表示部分３１を点灯させるので、多機能操作装置３０が暗所に取り付けられている場合でも、表示部分３１を明確に視認しながら操作することができる。
また、操作モードに対応した表示部分３１のみを点灯させることにより、操作間違いを防止することができる。
【００２９】
次に、本発明に係る多機能操作装置の第４実施例について図面に基づいて説明する。
なお、前述した第１〜第３実施例と共通する部位には同じ符号を付して重複する説明を省略することにする。
【００３０】
図１２に示すように、この多機能操作装置４０は、図６および図９において前述した第１実施例および第２実施例に係る多機能操作装置１０、２０に適用できるものであり、電子部品を被覆するパネル４１においてノブ２２の透視部２６に対応した位置に表示部分４２を設けたものである。以下では、一例として第２実施例に係る多機能操作装置２０に適用した場合について説明する。
表示部分４２は、パネル４１に取り付けられている導光手段４３によって発光部４４と接続されており、発光部４４を発光させることにより表示部分４２を点灯させるようになっている。なお、表示部分４２自体を発光体で構成してパネル４１に取り付け、直接表示部分４２を点灯させるようにしてもよい。
【００３１】
従って、表示部分４２を電子部品であるジョイスティック２１を被覆するパネル４１に設けたので、表示板２５のような別の部材を設ける必要が無く、部品の少数化を図ることができる。
また、多機能操作装置４１を固定側であるオーディオ機器本体１３に取り付ける際に、取り扱いが容易になる。
さらに、パネル４１、表示部分４２および導光手段４３を一体形成すると部品点数を少数化できる。
【００３２】
以上説明したように、本発明にかかる多機能操作装置１０、２０、３０、４０では、固定側であるオーディオ機器本体１３に固定される操作装置本体１４、２３から突出するとともに軸回転およびその他の操作動作が可能な操作軸１５、２４を備える操作装置１１、２１と、操作軸１５、２４に固定され操作装置１１、２１を操作するノブ１２、２２とを有している。
そして、ノブ１２、２２には操作軸１５、２４に沿った方向に透視可能な透視部１６、２６が設けられ、透視部１６、２６と操作装置本体１４、２３との間でオーディオ機器本体１３等の固定側に固定される表示板１７、２５が設けられている。
従って、表示板１７、２５の表示は固定されているのでノブ１２、２２を回転等させても回転あるいは傾倒せず、ノブ１２、２２の透視部１６、２６を透して見ることができるので、表示が見やすく、誤操作を防止することができる。
【００３３】
なお、本発明の多機能操作装置１０、２０、３０、４０は、前述した各実施例に限定されるものでなく、適宜な変形、改良等が可能である。
例えば、前述した各実施形態では、操作軸１５、２４によるその他の操作動作として、操作軸１５を軸方向に押す場合、あるいは操作軸２４を傾ける場合について説明したが、その他の操作動作であってもよい。
【図面の簡単な説明】
【図１】従来の多機能操作装置を示す断面図である。
【図２】（Ａ）は回転前の従来のノブの表示を示す平面図、（Ｂ）は回転後の従来のノブの表示を示す平面図である。
【図３】（Ａ）は操作軸を傾けていない状態を示す側面図、（Ｂ）は操作軸を傾けた状態を示す従来の側面図である。
【図４】（Ａ）は回転前の表示部を示す従来の平面図、（Ｂ）は操作軸が回転したときの表示板を示す従来の平面図である。
【図５】表示部をノブから離れた位置に設けた従来の平面図である。
【図６】（Ａ）は本発明にかかる多機能操作装置の第１実施例を示す断面図、（Ｂ）および（Ｃ）は平面図である。
【図７】（Ａ）はノブの平面図、（Ｂ）は断面図、（Ｃ）は側面図である。
【図８】（Ａ）は表示板の平面図、（Ｂ）は断面図、（Ｃ）は側面図である。
【図９】（Ａ）は本発明にかかる多機能操作装置の第２実施例を示す断面図、（Ｂ）および（Ｃ）は平面図である。
【図１０】本発明にかかる多機能操作装置の第３実施例を示す断面図である。
【図１１】操作モードに対応して表示部を点灯させるフローチャートである。
【図１２】本発明にかかる多機能操作装置の第４実施例を示す断面図である。
【符号の説明】
１０、２０、３０、４０　多機能操作装置
１２、２２　ノブ
１１　ボリュームスイッチ（電子部品）
１３　オーディオ機器本体（固定側）
１４、２３　操作装置本体
１５、２４　操作軸
１６、２６　透視部
１７　表示板（表示部）
２１　ジョイスティック（電子部品）
３１、４２　表示部分（表示部）
３３、４４　発光部
４１　パネル
【図１】
2004146090.tif 000003
【図２】
2004146090.tif 000004
【図３】
2004146090.tif 000005
【図４】
2004146090.tif 000006
【図５】
2004146090.tif 000007
【図６】
2004146090.tif 000008
【図７】
2004146090.tif 000009
【図８】
2004146090.tif 000010
【図９】
2004146090.tif 000011
【図１０】
2004146090.tif 000012
【図１１】
2004146090.tif 000013
【図１２】
2004146090.tif 000014